(57)【要約】      （修正有）【課題】スポーツシューズの爪先部の屈曲性を高めることで足指の自由度が高めることができ、スポーツ時等におけるグリップ性能や蹴り出し時の反発力を高めることができる屈曲性爪先部を有するスポーツシューズを提供する。【解決手段】屈曲性爪先部を有するスポーツシューズのアウトソール１２の爪先部１２ＡにはアウトソールＸ溝２０が設けられてアウトソール第１爪先形成部３０とアウトソール第２爪先形成部３２とアウトソール第３爪先形成部３４が区画形成されている。アウトソール第１爪先形成部３０にはアウトソール第１グリップ３６が、アウトソール第２爪先形成部３２にはアウトソール第２グリップ３８が、アウトソール第３爪先形成部３４にはアウトソール第３グリップ４０が、それぞれ形成されている。また、アウトソール１２の爪先部１２Ａの後方にはアウトソール反発補助体４２が形成されている。【選択図】図１
0003187084.tif 000002
【実用新案登録請求の範囲】
【請求項１】
アウトソールと、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に形成されたアウトソール第３グリップと、前記アウトソールの爪先部の後部に形成されると共に蹴り出しを補助するアウトソール反発補助体と、を有してなることを特徴とする屈曲性爪先部を有するスポーツシューズ。
【請求項２】
アウトソール、インソール、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に形成されたアウトソール第３グリップと、前記アウトソールの爪先部の後部に形成されると共に蹴り出しを補助するアウトソール反発補助体と、前記アウトソールの上方に配設されるインソールと、このインソールの爪先部の底面に形成された底面視略Ｘ字状のインソールＸ溝と、このインソールＸ溝を形成することによりインソールの爪先部の底面に区画形成されたインソール第１爪先形成部、インソール第２爪先形成部、インソール第３爪先形成部と、前記インソール第１爪先形成部に形成されたインソール第１グリップと、前記インソール第２爪先形成部に形成されたインソール第２グリップと、前記インソール第３爪先形成部に形成されたインソール第３グリップと、前記インソールの爪先部の後部に形成されると共に蹴り出しを補助するインソール反発補助体と、を有してなることを特徴とする屈曲性爪先部を有するスポーツシューズ。
【請求項３】
アウトソール、ミッドソール、インソール、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に３個形成されたアウトソール第３グリップと、前記アウトソールの爪先部の後部に形成されると共に蹴り出しを補助するアウトソール反発補助体と、前記アウトソールの上方に配設されると共に柔軟性を有する素材で形成されたミッドソールと、このミッドソールの上方に配設されるインソールと、このインソールの爪先部の底面に形成された底面視略Ｘ字状のインソールＸ溝と、このインソールＸ溝を形成することによりインソールの爪先部の底面に区画形成されたインソール第１爪先形成部、インソール第２爪先形成部、インソール第３爪先形成部と、前記インソール第１爪先形成部に形成されたインソール第１グリップと、前記インソール第２爪先形成部に形成されたインソール第２グリップと、前記インソール第３爪先形成部に３個形成されたインソール第３グリップと、前記インソールの爪先部の後部に形成されると共に蹴り出しを補助するインソール反発補助体と、を有してなることを特徴とする屈曲性爪先部を有するスポーツシューズ。
【考案の詳細な説明】
【技術分野】
【０００１】
本考案は、スポーツシューズに関し、詳しくはスポーツ時や歩行時等において足の足指の自由度や安定感を高めることができると共にグリップ性や蹴り出し性を向上することができる屈曲性爪先部を有するスポーツシューズに関する。
【背景技術】
【０００２】
従来から靴底にグリップを形成することによりスポーツ時や歩行時のグリップ性に優れるスポーツシューズが広く提案されている（特許文献１）。
しかし、従来のこのタイプのスポーツシューズはシューズ内の足指をできるだけ拘束することにより、スポーツシューズ内での足指のズレや動きを抑えると共に前記アウトソールの底面に形成されたグリップで接地面とのグリップ性等を高める構成となっている。
しかし、発育途上にある子供の足指の骨は柔らかいため足指の形が定まっておらず、しかも一般的に子供の足は足指が広くなる扇形になっている。
このため、従来のスポーツシューズのように足指を拘束して足指の自由な動きを制限すると発育途上の子供の足や足指の骨の成長や発達を阻害してしまうおそれがある。
【先行技術文献】
【特許文献】
【０００３】
【特許文献１】特開平７−２８９３０６号
【考案の概要】
【考案が解決しようとする課題】
【０００４】
本考案は、上記事実に鑑みなされたものであり、スポーツシューズの爪先部の屈曲性を高めることにより足の足指の自由度を高めることができると共にスポーツ時や歩行時における接地面とのグリップ性能や蹴り出し時の反発力を効率よく高めることができる屈曲性爪先部を有するスポーツシューズを提供するものである。
【課題を解決するための手段】
【０００５】
請求項１の考案は、アウトソールと、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に形成されたアウトソール第３グリップと、前記アウトソールの爪先部の後部に形成されると共に蹴り出しを補助するアウトソール反発補助体と、を有していることを特徴としている。
請求項２の考案は、アウトソール、インソール、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に形成されたアウトソール第３グリップと、前記アウトソールの爪先部の後部に形成されると共に蹴り出しを補助するアウトソール反発補助体と、前記アウトソールの上方に配設されるインソールと、このインソールの爪先部の底面に形成された底面視略Ｘ字状のインソールＸ溝と、このインソールＸ溝を形成することによりインソールの爪先部の底面に区画形成されたインソール第１爪先形成部、インソール第２爪先形成部、インソール第３爪先形成部と、前記インソール第１爪先形成部に形成されたインソール第１グリップと、前記インソール第２爪先形成部に形成されたインソール第２グリップと、前記インソール第３爪先形成部に形成されたインソール第３グリップと、前記インソールの爪先部の後部に形成されると共に蹴り出しを補助するインソール反発補助体と、を有していることを特徴としている。
請求項３の考案は、アウトソール、ミッドソール、インソール、アッパーを備えて成るスポーツシューズにおいて、前記アウトソールの爪先部の底面に形成された底面視略Ｘ字状のアウトソールＸ溝と、このアウトソールＸ溝を形成することによりアウトソールの爪先部の底面に区画形成されたアウトソール第１爪先形成部、アウトソール第２爪先形成部、アウトソール第３爪先形成部と、前記アウトソール第１爪先形成部に形成されたアウトソール第１グリップと、前記アウトソール第２爪先形成部に形成されたアウトソール第２グリップと、前記アウトソール第３爪先形成部に３個形成されたアウトソール第３グリップと、前記アウトソールの爪先部の後部に形成されると共に蹴り出しを補助するアウトソール反発補助体と、前記アウトソールの上方に配設されると共に柔軟性を有する素材で形成されたミッドソールと、このミッドソールの上方に配設されるインソールと、このインソールの爪先部の底面に形成された底面視略Ｘ字状のインソールＸ溝と、このインソールＸ溝を形成することによりインソールの爪先部の底面に区画形成されたインソール第１爪先形成部、インソール第２爪先形成部、インソール第３爪先形成部と、前記インソール第１爪先形成部に形成されたインソール第１グリップと、前記インソール第２爪先形成部に形成されたインソール第２グリップと、前記インソール第３爪先形成部に３個形成されたインソール第３グリップと、前記インソールの爪先部の後部に形成されると共に蹴り出しを補助するインソール反発補助体と、を有していることを特徴としている。
【考案の効果】
【０００６】
本考案の屈曲性爪先部を有するスポーツシューズは、爪先部の屈曲性が高いので足指の自由な動きを拘束せず開放的で、足や足指の発達を阻害しないという優れた効果を有する。
本考案の屈曲性爪先部を有するスポーツシューズは、爪先部の屈曲性が高いので足指の力を効果的に無駄なく接地面等に伝えることができるため安定性を高めることができるという優れた効果を有する。
本考案の屈曲性爪先部を有するスポーツシューズは、爪先部の屈曲性が高いので足指の力を効果的に無駄なく接地面等に伝えることができるため、グリップ性能や蹴り出し性能を高めることができるという優れた効果を有する。
本考案の屈曲性爪先部を有するスポーツシューズは、アウトソール反発補助体が形成されているので走ったり歩いたりする時の蹴り出し時の反発性能を高めることができるという優れた効果を有する。
【図面の簡単な説明】
【０００７】
【図１】実施例の屈曲性爪先部を有するスポーツシューズのアウトソールの底面図である。
【図２】実施例の屈曲性爪先部を有するスポーツシューズのインソールの底面図である。
【図３】実施例の屈曲性爪先部を有するスポーツシューズのインソールの平面図である。
【図４】実施例の屈曲性爪先部を有するスポーツシューズの分解斜視図である。
【考案を実施するための形態】
【０００８】
考案を実施するために最良の形態の例として以下のような実施例を示す。
【実施例１】
【０００９】
図１〜図４には本考案に係る屈曲性爪先部を有するスポーツシューズの一実施例が示されている。なお、この実施例では子供用の屈曲性爪先部を有するスポーツシューズを例にして説明する。
図４に示されるように、本考案の屈曲性爪先部を有するスポーツシューズ１０は、下方から上方に向かってアウトソール１２、ミッドソール１４、インソール１６、アッパー１８の順番で配設されるようになっている。
図１には前記アウトソール１２の底面図が示されている。このアウトソール１２は合成樹脂材で形成され、アウトソール１２の爪先部１２Ａの底面には底面視略Ｘ字状のアウトソールＸ溝２０が形成されている。
このアウトソールＸ溝２０はアウトソール第１溝部２２とアウトソール第２溝部２４を交差することにより形成されている。このアウトソール第１溝部２２はアウトソール第２溝部２４部よりも長く形成されている。
前記アウトソール１２の爪先部１２Ａに前記アウトソールＸ溝２０を形成することにより、アウトソールＸ溝２０の肉厚が薄くなるのでアウトソール１２の爪先部１２ＡはアウトソールＸ溝２０で屈曲し易くなっている。
前記アウトソールＸ溝２０を形成することにより前記アウトソール１２の爪先部１２Ａにはアウトソール第１爪先形成部３０とアウトソール第２爪先形成部３２とアウトソール第３爪先形成部３４が区画形成され、アウトソール第１爪先形成部３０とアウトソール第２爪先形成部３２とアウトソール第３爪先形成部３４はアウトソールＸ溝２０を境にしてそれぞれ別々に屈曲し易くなっている。
前記アウトソール第１爪先形成部３０にはアウトソール第１グリップ３６が１個形成され、前記アウトソール第２爪先形成部３２にはアウトソール第２グリップ３８が１個形成され、前記アウトソール第３爪先形成部３４にはアウトソール第３グリップ４０，４０，４０が３個形成されている。
前記アウトソール第１グリップ３６は図示しない足指の第１指に対応し、前記アウトソール第２グリップ３８は足指の第２指に対応し、前記アウトソール第３グリップ４０，４０，４０は足指の第３指、第４指、第５指にそれぞれ対応するようになっている。
また、前記アウトソール第１グリップ３６、アウトソール第２グリップ３８、アウトソール第３グリップ４０，４０，４０は底面視円形状に形成されると共に先端面には凹凸が形成されて接地面とのグリップ性を高めている。
前記爪先部１２Ａの後部にはアウトソール反発補助体４２が形成されている。このアウトソール反発補助体４２は足指の第１指の指球に対応する位置に形成されている。前記アウトソール反発補助体４２は走ったり歩いたりする時の蹴り出し時の反発性能を高める役目を有している。前記アウトソール反発補助体４２は底面視円形状に形成されると共に先端面には凹凸が形成されて接地面とのグリップ性を高め反発性能をより向上できるようになっている。
図４に示されるように、前記アウトソール１２の上方には前記ミッドソール１４が配設されている。このミッドソール１４は伸縮性を有する合成樹脂剤で一体形成されている。  また、前記ミッドソール１４の上方には前記インソール１６が配設されている。
図２には前記インソール１６の底面図が示されている。
前記インソール１６は少しクッション性のある素材で形成されている。インソール１６の爪先部１６Ａには底面視略Ｘ字状のインソールＸ溝５０が形成されている。このインソールＸ溝５０はインソール第１溝部５２とインソール第２溝部５４を交差することにより形成されている。このインソール第１溝部５２はインソール第２溝部５４よりも長く形成されている。
前記インソール１６の爪先部１６Ａに前記インソールＸ溝５０を形成することにより、インソールＸ溝５０の肉厚が薄くなるのでインソール１６の爪先部１６ＡはインソールＸ溝５０で屈曲し易くなっている。
前記インソールＸ溝５０を形成することにより前記インソール１６の爪先部１６Ａにはインソール第１爪先形成部５６とインソール第２爪先形成部５８とインソール第３爪先形成部６０が区画形成され、インソール第１爪先形成部５６とインソール第２爪先形成部５８とインソール第３爪先形成部６０はインソールＸ溝５０を境にしてそれぞれ別々に屈曲し易くなっている。
前記インソール第１爪先形成部５６にはインソール第１グリップ６２が１個形成され、前記インソール第２爪先形成部５８にはインソール第２グリップ６４が１個形成され、前記インソール第３爪先形成部６６にはインソール第３グリップ６６，６６，６６が３個形成されている。
前記インソール第１グリップ６２は足指の第１指に対応し、前記インソール第２グリップ６４は足指の第２指に対応し、前記インソール第３グリップ６６，６６，６６は足指の第３指、第４指、第５指にそれぞれ対応するようになっている。
また、前記インソール第１グリップ６２、前記インソール第２グリップ６４、前記インソール第３グリップ６６は底面視円形状に形成されると共に先端面には凹凸が形成されて前記ミッドソール１４及びアウトソール１２とのグリップ性を高めている。
前記爪先部１６Ａの後部にはインソール反発補助体７０が形成されている。このインソール反発補助体７０は足指の第１指の指球に対応する位置に形成されている。前記インソール反発補助体７０は走ったり歩いたりする時の蹴り出し時の反発性能を高める役目を果たしている。前記インソール反発補助体７０は底面視円形状に形成されると共に先端面には凹凸が形成されてミッドソール１４及びアウトソール１２とのグリップ性を向上できるようになっている。
図３には前記インソール１６の平面図が示されている。このインソール１６の爪先部１６Ａの上面にはインソール１６を横断する横断突起部７２が形成されている。この横断突起部７２は緩やかで低く盛り上がるように形成されている。この横断突起部７２を形成することにより足裏が横断突起部７２と直接密着当接することにより足の前後方向に作用する力を前記インソール１６に効率よく伝えることができるようになっている。
また、前記インソール１６の踵部の上面には平面視楕円状の踵突起部７４が少し盛り上がった状態で突設されている。この踵突起部７４はクッション性を有している。
【００１０】
次に、実施例の屈曲性爪先部を有するスポーツシューズ１０を子供が履いてスポーツをする場合を例にして屈曲性爪先部を有するスポーツシューズ１０の作用を説明する。
スポーツをしている時に体勢等によって足指の第１指のみが曲がるように動くと第１指に対応するインソール第１爪先形成部５６が屈曲し、ミッドソール１４を介してアウトソール第１爪先形成部３０も屈曲する。
従って、インソール第１グリップ６２に伝わった第１指の力がミッドソール１４を介してアウトソール第１グリップ３６に伝わる。この結果、アウトソール第１グリップ３６は第１指の動きに対応して接地面とグリップするのでグリップ性能を高めることができる。
一方、足指の第２指に働く力は第２指に対応するインソール第２爪先形成部５８、ミッドソール１４を介してアウトソール第２爪先形成部３２に作用し、アウトソール第２グリップ３８は第２指に応じて接地面とグリップする。同様に足指の第３指、第４指、第５指に働く力は第３指、第４指、第５指に対応するインソール第３爪先形成部６０、ミッドソール１４を介してアウトソール第３爪先形成部３４に作用し、アウトソール第３グリップ４０，４０，４０は第３指、第４指、第５指に応じて接地面とグリップする。
従って、子供のように非力であっても足指の動きに応じて前記アウトソール第１爪先形成部３０、アウトソール第２爪先形成部３２、アウトソール第３爪先形成部３４が別々に屈曲してアウトソール第１グリップ３６、アウトソール第２グリップ３８、アウトソール第３グリップ４０，４０，４０がそれぞれグリップするので、足指の力を無駄なく効率的に使用することができ、接地面とグリップ性を向上させることができる。
また、屈曲性爪先部を有するスポーツシューズ１０にはアウトソール１２にアウトソール反発補助体４２が形成され、インソール１６にインソール反発補助体７０がそれぞれ形成されているため、前記アウトソール反発補助体４２、インソール反発補助体７０で着地時の衝撃を吸収することができると共に蹴り出しを効果的にサポートすることができる。
さらに、インソール１６の爪先部１６Ａの上面にはインソール１６を横断する横断突起部７２が形成されているため、足裏は横断突起部７２と密着当接することにより足の前後方向の力を前記インソール１６に効率よく伝えることができる。
また、前記インソール１６の踵部の平面には円形状の踵突起部７４が突設されているので、クッション性を高めると共に足の踵部を僅かに持ち上げる状態になるので爪先部への推進性を生じさせることができる。
【００１１】
従って、屈曲性爪先部を有するスポーツシューズ１０は、子供の足指が動くと足指の動きに応じてインソール１６の爪先部１６Ａとアウトソール１２の爪先部１２Ａが屈曲するため、スポーツ時や歩行時等に走り出したり止まったりする場合にグリップ性を接地面に効率よく伝えることができるため、安定した走りや歩行を実現することができる。
また、屈曲性爪先部を有するスポーツシューズ１０内で足指が自由に動くことができるため、発育途上にある子供の足指に発達に悪影響を与えるおそれがない。また、足指が自由に動くので開放感や安定感を感じながら屈曲性爪先部を有するスポーツシューズ１０を履いてスポーツや歩行を楽しむことができる。
さらに、屈曲性爪先部を有するスポーツシューズ１０には前記アウトソール反発補助体４２、インソール反発補助体７０が設けられているので、走ったり歩いたりする時の蹴り出しの反発性能を効果的にサポートすることができる。
【００１２】
なお、実施例では子供が屈曲性爪先部を有するスポーツシューズ１０を使用する場合を示したが、使用するのは子供に限定されるものではなく大人が屈曲性爪先部を有するスポーツシューズ１０を使用してもよいことは勿論である。
【産業上の利用可能性】
【００１３】
本考案の屈曲性爪先部を有するスポーツシューズはスポーツ時以外にも使用することができる。
【符号の説明】
【００１４】
１０    屈曲性爪先部を有するスポーツシューズ
１２    アウトソール
１４    ミッドソール
１６    インソール
１８    アッパー
２０    アウトソールＸ溝
２２    アウトソール第１溝部
２４    アウトソール第２溝部
３０    アウトソール第１爪先形成部
３２    アウトソール第２爪先形成部
３４    アウトソール第３爪先形成部
３６    アウトソール第１グリップ
３８    アウトソール第２グリップ
４０    アウトソール第３グリップ
４２    アウトソール反発補助体
５０    インソールＸ溝
５２    インソール第１溝部
５４    インソール第２溝部
５６    インソール第１爪先形成部
５８    インソール第２爪先形成部
６０    インソール第３爪先形成部
６２    インソール第１グリップ
６４    インソール第２グリップ
６６    インソール第３グリップ
７０    インソール反発補助体
７２    横断突起部
７４    踵突起部
【図１】
0003187084.tif 000003
【図２】
0003187084.tif 000004
【図３】
0003187084.tif 000005
【図４】
0003187084.tif 000006